(57)【要約】  加湿装置としての加湿空気清浄機は、装置本体（１２）と、装置本体（１２）に対して着脱可能に設けられる加湿トレイ（３０）と、加湿トレイ（３０）に装着され、空気を加湿する加湿フィルタ（４１）とを備える。加湿トレイ（３０）は、水を貯留可能なトレイ本体部（３１）と、トレイ本体部（３１）に取り付けられるハンドル部（４２）とを有する。装置本体（１２）は、加湿フィルタ（４１）の上方に位置し、加湿フィルタ（４１）と隙間を設けて対向する壁部（５８）を有する。ハンドル部（４２）は、加湿フィルタ（４１）および壁部（５８）の間の隙間に配置される。このような構成により、加湿フィルタが上方に浮いた状態で加湿トレイに装着されることを防ぐ加湿装置を提供する。
2019038950.tif 000002
【特許請求の範囲】
【請求項１】
装置本体と、
水を貯留可能なトレイ本体部と、前記トレイ本体部に取り付けられるハンドル部とを有し、前記装置本体に対して着脱可能に設けられる加湿トレイと、
前記加湿トレイに装着され、空気を加湿する加湿フィルタとを備え、
前記装置本体は、前記加湿フィルタの上方に位置し、前記加湿フィルタと隙間を設けて対向する壁部を有し、
前記ハンドル部は、前記加湿フィルタおよび前記壁部の間の隙間に配置される、加湿装置。
【請求項２】
前記ハンドル部は、前記加湿フィルタおよび前記ハンドル部の間に隙間が生じる第１状態と、前記第１状態よりも前記ハンドル部が前記加湿フィルタに近接する第２状態との間で動作可能に設けられ、
前記加湿トレイは、前記ハンドル部が前記第２状態とされて、前記装置本体に装着される、請求項１に記載の加湿装置。
【請求項３】
前記ハンドル部は、前記第１状態および前記第２状態の間で上下にスライド可能に設けられ、
前記ハンドル部は、前記第２状態において、前記ハンドル部の自重により前記トレイ本体部と当接する当接部を有する、請求項２に記載の加湿装置。
【請求項４】
前記ハンドル部は、前記第１状態と、前記加湿フィルタの上方から退避する第３状態との間で動作可能に設けられる、請求項２または３に記載の加湿装置。
【請求項５】
前記トレイ本体部は、前記加湿フィルタを挟んで一方の側に配置され、水平方向において前記第１状態における前記ハンドル部と対向する対向部を有し、
前記ハンドル部は、前記第１状態および前記第３状態の間で揺動可能に設けられ、前記第１状態から前記第３状態への移行時、前記加湿フィルタを挟んで他方の側に倒れるように揺動する、請求項４に記載の加湿装置。
【請求項６】
前記加湿トレイは、前記装置本体に対する前記加湿トレイの装着時に、水平方向における一方向に挿入され、
前記トレイ本体部は、
トレイ底部と、
前記加湿トレイの挿入方向における手前側に配置され、前記トレイ底部から立ち上がる第１トレイ側部と、
前記加湿トレイの挿入方向における奥側に配置され、前記トレイ底部から立ち上がる第２トレイ側部と、
前記トレイ底部と前記第１トレイ側部との隅部に設けられ、前記トレイ本体部の外側から見て凹形状を有する第１取っ手部と、
前記トレイ底部と前記第２トレイ側部との隅部に設けられ、前記トレイ本体部の外側から見て凹形状を有する第２取っ手部とを有する、請求項１から５のいずれか１項に記載の加湿装置。
【請求項７】
前記第１取っ手部および前記第２取っ手部は、前記トレイ本体部の内側から見て凸形状を有し、
前記加湿フィルタは、前記トレイ本体部の内側において、前記第１取っ手部および前記第２取っ手部の間に挟持される、請求項６に記載の加湿装置。
【請求項８】
前記加湿フィルタは、平板形状を有し、
前記トレイ本体部は、トレイ底部と、前記トレイ底部上に設けられ、前記加湿フィルタをその厚み方向における両側から保持するフィルタ保持部とを有し、
前記加湿フィルタをその厚み方向から見た場合に、前記加湿フィルタが前記フィルタ保持部と重なり合う幅は、前記トレイ底部から離れるほど小さくなる、請求項１から７のいずれか１項に記載の加湿装置。
【請求項９】
前記加湿フィルタは、平板形状を有し、
前記トレイ本体部は、前記加湿フィルタをその厚み方向における両側から保持するフィルタ保持部を有し、
前記フィルタ保持部として、前記加湿フィルタに対して、前記加湿フィルタを通過する空気流れの上流側に配置される第１フィルタ保持部と、前記加湿フィルタに対して、前記加湿フィルタを通過する空気流れの下流側に配置される第２フィルタ保持部とが設けられ、
前記加湿フィルタをその厚み方向から見た場合に、前記加湿フィルタが前記第２フィルタ保持部と重なり合う面積は、前記加湿フィルタが前記第１フィルタ保持部と重なり合う面積よりも大きい、請求項１から８のいずれか１項に記載の加湿装置。
【発明の詳細な説明】
【技術分野】
【０００１】
本開示は、加湿装置に関する。本出願は、２０１７年８月２２日に出願した日本特許出願である特願２０１７−１５９３７４号に基づく優先権を主張する。当該日本特許出願に記載された全ての記載内容は、参照によって本明細書に援用される。
【背景技術】
【０００２】
装置本体に対して着脱可能な加湿トレイと、加湿トレイに装着される加湿フィルタとを備える加湿装置が知られている。たとえば、特開２０１２−５２６９９号公報（特許文献１）に開示される加湿器は、電解水生成槽を形成するトレイと、電解水生成槽内の水に浸される加湿フィルタとを有する。【０００３】
そのほか、従来の加湿装置を開示する文献として、特開２０１３−１５５９５８号公報（特許文献２）、特開２００８−２５８９９号公報（特許文献３）、特開２００３−１０６５７８号公報（特許文献４）、特開２０１３−７２５８５号公報（特許文献５）および特開２０１１−８０６７６号公報（特許文献６）がある。
【先行技術文献】
【特許文献】
【０００４】
【特許文献１】特開２０１２−５２６９９号公報
【特許文献２】特開２０１３−１５５９５８号公報
【特許文献３】特開２００８−２５８９９号公報
【特許文献４】特開２００３−１０６５７８号公報
【特許文献５】特開２０１３−７２５８５号公報
【特許文献６】特開２０１１−８０６７６号公報
【発明の概要】
【発明が解決しようとする課題】
【０００５】
上記の加湿トレイおよび加湿フィルタを備える加湿装置においては、加湿フィルタが上方に浮いた状態で加湿トレイに装着されることがある。この場合、加湿トレイを装置本体に対して着脱する際に、加湿フィルタが装置本体と干渉し、加湿トレイの着脱時の作業性が損なわれるおそれがある。【０００６】
そこで本開示の目的は、上記の課題を解決することであり、加湿フィルタが上方に浮いた状態で加湿トレイに装着されることを防ぐ加湿装置を提供することである。
【課題を解決するための手段】
【０００７】
本開示に従った加湿装置は、装置本体と、水を貯留可能なトレイ本体部と、トレイ本体部に取り付けられるハンドル部とを有し、装置本体に対して着脱可能に設けられる加湿トレイと、加湿トレイに装着され、空気を加湿する加湿フィルタとを備える。装置本体は、加湿フィルタの上方に位置し、加湿フィルタと隙間を設けて対向する壁部を有する。ハンドル部は、加湿フィルタおよび壁部の間の隙間に配置される。【０００８】
また好ましくは、ハンドル部は、加湿フィルタおよびハンドル部の間に隙間が生じる第１状態と、第１状態よりもハンドル部が加湿フィルタに近接する第２状態との間で動作可能に設けられる。加湿トレイは、ハンドル部が第２状態とされて、装置本体に装着される。【０００９】
また好ましくは、ハンドル部は、第１状態および第２状態の間で上下にスライド可能に設けられる。ハンドル部は、第２状態において、ハンドル部の自重によりトレイ本体部と当接する当接部を有する。【００１０】
また好ましくは、ハンドル部は、第１状態と、加湿フィルタの上方から退避する第３状態との間で動作可能に設けられる。【００１１】
また好ましくは、トレイ本体部は、加湿フィルタを挟んで一方の側に配置され、水平方向において第１状態におけるハンドル部と対向する対向部を有する。ハンドル部は、第１状態および第３状態の間で揺動可能に設けられ、第１状態から第３状態への移行時、加湿フィルタを挟んで他方の側に倒れるように揺動する。【００１２】
また好ましくは、加湿トレイは、装置本体に対する加湿トレイの装着時に、水平方向における一方向に挿入される。トレイ本体部は、トレイ底部と、加湿トレイの挿入方向における手前側に配置され、トレイ底部から立ち上がる第１トレイ側部と、加湿トレイの挿入方向における奥側に配置され、トレイ底部から立ち上がる第２トレイ側部と、トレイ底部と第１トレイ側部との隅部に設けられ、トレイ本体部の外側から見て凹形状を有する第１取っ手部と、トレイ底部と第２トレイ側部との隅部に設けられ、トレイ本体部の外側から見て凹形状を有する第２取っ手部とを有する。【００１３】
また好ましくは、第１取っ手部および第２取っ手部は、トレイ本体部の内側から見て凸形状を有する。加湿フィルタは、トレイ本体部の内側において、第１取っ手部および第２取っ手部の間に挟持される。【００１４】
また好ましくは、加湿フィルタは、平板形状を有する。トレイ本体部は、トレイ底部と、トレイ底部上に設けられ、加湿フィルタをその厚み方向における両側から保持するフィルタ保持部とを有する。加湿フィルタをその厚み方向から見た場合に、加湿フィルタがフィルタ保持部と重なり合う幅は、トレイ底部から離れるほど小さくなる。【００１５】
また好ましくは、加湿フィルタは、平板形状を有する。トレイ本体部は、加湿フィルタをその厚み方向における両側から保持するフィルタ保持部を有する。フィルタ保持部として、加湿フィルタに対して、加湿フィルタを通過する空気流れの上流側に配置される第１フィルタ保持部と、加湿フィルタに対して、加湿フィルタを通過する空気流れの下流側に配置される第２フィルタ保持部とが設けられる。加湿フィルタをその厚み方向から見た場合に、加湿フィルタが第２フィルタ保持部と重なり合う面積は、加湿フィルタが第１フィルタ保持部と重なり合う面積よりも大きい。
【発明の効果】
【００１６】
本開示に従えば、加湿フィルタが上方に浮いた状態で加湿トレイに装着されることを防ぐ加湿装置を提供することができる。
【図面の簡単な説明】
【００１７】
【図１】本開示の実施の形態１における加湿空気清浄機を示す正面図である。
【図２】図１中の加湿空気清浄機を示す左側面図である。
【図３】図１中の加湿空気清浄機を示す背面図である。
【図４】図１中の加湿空気清浄機を示す平面図である。
【図５】図１中の加湿空気清浄機の内部構造を示す縦断面図である。
【図６】図１中の加湿空気清浄機の内部構造を示す別の縦断面図である。
【図７】加湿トレイの装着時における加湿空気清浄機を示す正面図である。
【図８】加湿トレイの装着時における加湿空気清浄機を示す縦断面図である。
【図９】図５中の２点鎖線ＩＸで囲まれた範囲の加湿空気清浄機を示す縦断面図である。
【図１０】図９中の加湿トレイを示す上面図である。
【図１１】図９中の加湿トレイを示す側面図である。
【図１２】図９中の加湿トレイを示す斜視図である。
【図１３】図１２中の加湿トレイから抗菌ユニットおよび水位検知部が取り外された状態を示す斜視図である。
【図１４】ハンドル部が第１状態（給水ポジション）にされた加湿トレイを示す斜視図である。
【図１５】ハンドル部が第２状態（装着ポジション）にされた加湿トレイを示す斜視図である。
【図１６】ハンドル部が第３状態（フィルタ交換ポジション）にされた加湿トレイを示す斜視図である。
【図１７】図１０中のＸＶＩＩ−ＸＶＩＩ線上の矢視方向から見た加湿トレイを示す断面図である。
【図１８】図１０中のＸＶＩＩＩ−ＸＶＩＩＩ線上の矢視方向から見た加湿トレイを示す断面図である。
【図１９】加湿トレイが取り外された状態の加湿空気清浄機（装置本体）を示す斜視図である。
【図２０】図１９中の２点鎖線ＸＸで囲まれた範囲を拡大して示す斜視図である。
【図２１】加湿トレイを示す底面図である。
【図２２】図１９中の装置本体に加湿トレイが装着された状態を示す縦断面図である。
【図２３】加湿トレイの取り外し時における加湿トレイおよび装置本体を部分的に示す断面図である。
【図２４】装置本体に対して加湿トレイが挿入不足である状態を示す断面図である。
【図２５】装置本体に対する加湿トレイの装着時の状態を示す側面図である。
【発明を実施するための形態】
【００１８】
本開示の実施の形態について、図面を参照して説明する。なお、以下で参照する図面では、同一またはそれに相当する部材には、同じ番号が付されている。
【００１９】
以下の実施の形態においては、加湿装置の一例として、加湿空気清浄機１について説明する。加湿装置は、加湿空気清浄機１に限られず、たとえば、加湿機能を有するイオン発生機、空気調和機、ファンヒータまたはその他の機器であってもよい。加湿装置は、家屋の室内、ビルの一室または病院の病室などの空気を加湿するために、好適に用いることができる。加湿装置は、室内の適所で床上に置かれて使用される。
【００２０】
（実施の形態１）
図１は、本開示の実施の形態１における加湿空気清浄機を示す正面図である。図２は、図１中の加湿空気清浄機を示す左側面図である。図３は、図１中の加湿空気清浄機を示す背面図である。図４は、図１中の加湿空気清浄機を示す平面図である。まず、本実施の形態における加湿空気清浄機１の全体構成について説明する。
【００２１】
図１から図４を参照して、加湿空気清浄機１は、加湿空気清浄機１の外筐をなす筐体２を有する。筐体２は、前面２Ａと、前面２Ａとは反対側に配置される背面２Ｂと、前面２Ａおよび背面２Ｂを繋ぐ右側面２Ｃと、前面２Ａおよび背面２Ｂを繋ぐとともに、右側面２Ｃとは反対側に配置される左側面２Ｄと、加湿空気清浄機１が設置される床面と対向する上面２Ｅとを有する。筐体２は、全体として、垂直方向に縦長となる略直方体形状を有する。
【００２２】
前面２Ａの上部には、前吹き出し口３が設けられている。上面２Ｅには、後吹き出し口４が設けられている。前吹き出し口３および後吹き出し口４は、加湿空気清浄機１からの空気を外部空間に吹き出すための、筐体２に設けられた開口である。この加湿空気清浄機１からの空気を外部空間に吹き出すための開口は、加湿空気清浄機１の上部に設けられている。
【００２３】
前吹き出し口３には、前ルーバー７が設けられている。前ルーバー７は、手動または自動で移動可能に設けられている。前ルーバー７は、その位置を変えることにより、前吹き出し口３から吹き出す空気の流れ方向を変更（調整）することが可能に設けられている。
【００２４】
後吹き出し口４には、後ルーバー８が設けられている。後ルーバー８は、手動または自動で移動可能に設けられている。後ルーバー８は、後吹き出し口４を閉じる位置に配置可能である。後ルーバー８は、後吹き出し口４を閉じる位置から任意の角度開いた状態で停止可能である。後ルーバー８は、後吹き出し口４を開閉可能、および、後吹き出し口４から吹き出す空気の流れ方向を変更（調整）することが可能に設けられている。加湿空気清浄機１の停止中には、上方に開口する後吹出し口４を閉じるように後ルーバー８を移動させることができ、これにより、後吹き出し口４から筐体２内部への埃および異物の侵入が抑制される。
【００２５】
上面２Ｅには、操作部５が設けられている。操作部５は、複数の操作ボタンを有する。ユーザは、操作部５の操作ボタンを適宜押すことにより、加湿空気清浄機１の運転、停止、風量切替などの操作を行なうことができる。
【００２６】
操作部５は、加湿空気清浄機１の運転状態をユーザに通知するための通知部を有する。通知部は、たとえば、複数の表示ランプを有し、表示ランプの点灯および消灯によって加湿空気清浄機１の運転状態を視覚的にユーザに通知することができる。通知部は、後述する加湿トレイ３０における水位が最下レベルに達したことを知らせる表示ランプ（給水ランプ）を有してもよい。通知部は、後述する加湿フィルタ４１または抗菌ユニット７１の交換時期を知らせる表示ランプをさらに有してもよい。
【００２７】
前面２Ａは、前パネル１０により構成されている。前パネル１０は、加湿空気清浄機１の外筐の一部を構成している。
【００２８】
背面２Ｂには、開口が設けられており、この開口を塞ぐように後パネル２０が取り付けられている。後パネル２０には、複数の通気口２１が形成されている。通気口２１は、略平板状の後パネル２０をその厚み方向に貫通している。通気口２１は、外部空間の空気を筐体２の内部に導入するための小孔である。後パネル２０には、窪み部２２が設けられている。ユーザは、窪み部２２に手指を挿し入れ、後パネル２０を後方へ引くことにより、後パネル２０を背面２Ｂから取り外すことができる。
【００２９】
右側面２Ｃには、窪み部２４が形成されている。左側面２Ｄには、窪み部２５が形成されている。加湿空気清浄機１のユーザは、片手の指を窪み部２４に挿し入れ、同時に他の片手の指を窪み部２５に挿し入れて、筐体２を持ち上げることができる。これにより、加湿空気清浄機１を床上から離れた位置に移動させ、室内の適所へ加湿空気清浄機１を容易に移動することができる。
【００３０】
左側面２Ｄには、カバー２６が設けられている。カバー２６は、左側面２Ｄに対して着脱可能に設けられている。カバー２６を取り外した状態で、後述する高圧発生ユニット１００の、加湿空気清浄機１からの取り外しまたは加湿空気清浄機１への取り付けが可能になる。加湿空気清浄機１の下部には、加湿トレイ３０が設けられている。加湿トレイ３０は、左側面２Ｄから着脱可能に設けられている。
【００３１】
図５は、図１中の加湿空気清浄機の内部構造を示す縦断面図である。図５中には、左側方から見た加湿空気清浄機１の断面が示されている。
【００３２】
図１から図５を参照して、後パネル２０の前方には、フィルタ１８が設けられている。フィルタ１８は、微細な集塵を捕集するとともに、空気中の臭い成分を吸着する集塵・脱臭一体型のフィルタである。一体型のフィルタ１８に替えて、集塵フィルタと脱臭フィルタとが、互いに重ね合わされて設けられてもよい。
【００３３】
フィルタ１８は、筐体２の内部に収容されており、後パネル２０によって後方から覆われている。後パネル２０を取り外すことにより、フィルタ１８に容易にアクセス可能な配置とされている。これにより、フィルタ１８の清掃または交換などのメンテナンス作業が容易になっている。
【００３４】
フィルタ１８の前方、すなわちフィルタ１８よりも筐体２の内部には、中空の下降風路１５０が形成されている。
【００３５】
加湿トレイ３０には、水が貯留されている。加湿トレイ３０には、加湿フィルタ４１、抗菌ユニット７１および水位検知部８１が設けられている。
【００３６】
加湿フィルタ４１は、加湿トレイ３０に貯留された水に部分的に浸されている。加湿フィルタ４１は、加湿フィルタ４１を通過する空気を加湿するように構成されている。
【００３７】
抗菌ユニット７１は、加湿トレイ３０に貯留された水に浸されている。抗菌ユニット７１は、抗菌成分を含む抗菌剤を有し、加湿トレイ３０に貯留された水に細菌またはカビが発生することを抑制する。本実施の形態では、抗菌剤として、銀イオンを担持したゼオライト粉末をペレット状または円柱状に成型した抗菌剤が用いられている。抗菌剤は、抗菌成分としての銀イオンを含む。銀イオンの担体として、ゼオライト以外に、シリカゲル、ガラスまたは活性炭などを用いることも可能である。また、銀イオンを含む無機系抗菌剤に替えて、有機系抗菌剤を用いることも可能である。
【００３８】
水位検知部８１は、加湿トレイ３０における水位を検知するように構成されている。本実施の形態では、水位検知部８１として、加湿トレイ３０における水位の変動に応じて浮動するフロートを用いたフロート式の水位センサが用いられている。
【００３９】
水位検知部８１は、加湿トレイ３０における水位の最下レベルを検知するように構成されている。水位検知部８１により加湿トレイ３０における水位が最下レベルに達したことが検知された場合、制御装置（不図示）は、加湿空気清浄機１における加湿運転を停止させるとともに、操作部５における給水ランプを点灯させる。
【００４０】
筐体２内には、送風機５０が配置されている。加湿トレイ３０は、送風機５０の下方に配置されている。送風機５０は、フィルタ１８から離隔して、フィルタ１８の前方に配置されている。下降風路１５０は、前後方向において、送風機５０とフィルタ１８との間に設けられている。
【００４１】
送風機５０は、空気を送風するファン５２と、ファン５２を回転駆動する電動機としてのファンモータ５３と、ファン５２およびファンモータ５３を収容するファンケーシング５４とを有する。ファンケーシング５４は、前パネル１０と対向する対向面５６を有する。対向面５６は、前パネル１０と離隔して配置されている。
【００４２】
前パネル１０と対向面５６との間には、空気がファン５２に向けて流れる通路である中空の上流風路１６０が設けられている。上流風路１６０は、ファン５２によって送風される空気が流れる通路において、ファン５２よりも上流側の通路の一部を構成している。前パネル１０は、ファン５２により送風される気体の送風路である上流風路１６０の壁面の一部を構成している。
【００４３】
ファン５２の上方には、ファン５２から流出する空気が流れる通路である下流風路１７０が設けられている。下流風路１７０は、ファン５２によって送風される空気が流れる通路において、ファン５２よりも下流側の通路の一部を構成している。分岐部１８０において、空気の通路が、前吹き出し口３に繋がる前方風路１８３と、後吹き出し口４に繋がる後方風路１８４との二つの通路に分岐している。前吹き出し口３は、前方風路１８３の上端に設けられている。後吹き出し口４は、後方風路１８４の上端に設けられている。前吹き出し口３と後吹き出し口４とは、ファン５２によって送風される空気の流れの下流端に設けられている。
【００４４】
下流風路１７０には、高圧発生ユニット１００が設けられている。高圧発生ユニット１００は、下流風路１７０の壁面から下流風路１７０内に突出している。高圧発生ユニット１００は、放電によりイオンなどの活性種を発生する。これにより、高圧発生ユニット１００を通過して流れる空気中に、活性種が含まれる。
【００４５】
フィルタ１８を通過して筐体２の内部に流入した空気は、下降風路１５０を経由して、加湿空気清浄機１の下方に設けられた加湿トレイ３０へと送風される。吸水した加湿フィルタ４１を空気が通過することにより、空気が加湿される。その後、加湿された空気が、上流風路１６０を通って送風機５０へと送風される。ファン５２の回転により空気が通流される。下流風路１７０において、空気中に活性種が含まれる。そして、前吹き出し口３および後吹き出し口４から、加湿され、かつ、活性種を含む空気が、外部空間（室内）に放出される。
【００４６】
続いて、加湿トレイ３０について詳細に説明する。
図６は、図１中の加湿空気清浄機の内部構造を示す別の縦断面図である。図７は、加湿トレイの装着時における加湿空気清浄機を示す正面図である。図８は、加湿トレイの装着時における加湿空気清浄機を示す縦断面図である。図６および図８中には、前方から見た加湿空気清浄機１の断面が示されている。
【００４７】
図６から図８を参照して、加湿空気清浄機１は、装置本体１２と、加湿トレイ３０とを有する。装置本体１２は、加湿空気清浄機１の主要部をなし、前述の筐体２、前パネル１０、後パネル２０、フィルタ１８、送風機５０および高圧発生ユニット１００などから構成されている。加湿トレイ３０は、装置本体１２に対して着脱可能に設けられている。
【００４８】
装置本体１２は、トレイ挿入口１３を有する。トレイ挿入口１３は、水平方向を向いて開口している。トレイ挿入口１３は、左側面２Ｄに開口している。装置本体１２に対する加湿トレイ３０の装着時、加湿トレイ３０は、トレイ挿入口１３を通じて水平方向における一方向（図７および図８中の矢印３０１に示す方向、以下において、「加湿トレイ３０の挿入方向」ともいう）に挿入される。
【００４９】
図９は、図５中の２点鎖線ＩＸで囲まれた範囲の加湿空気清浄機を示す縦断面図である。図１０は、図９中の加湿トレイを示す上面図である。図１１は、図９中の加湿トレイを示す側面図である。図１２は、図９中の加湿トレイを示す斜視図である。
【００５０】
図９から図１２を参照して、加湿トレイ３０は、トレイ本体部３１と、ハンドル部４２とを有する。トレイ本体部３１は、その内部に水を貯留可能なように構成されている。ハンドル部４２は、トレイ本体部３１に取り付けられている。ハンドル部４２は、ユーザが把持可能なハンドル形状を有し、主に、加湿トレイ３０を持ち運ぶ際に用いられる。
【００５１】
トレイ本体部３１は、上方を向いて開口する、浅底の容器からなる。トレイ本体部３１は、その構成部位として、トレイ底部３２と、トレイ側部３３（３３Ａ，３３Ｂ，３３Ｃ，３３Ｄ）とを有する。
【００５２】
トレイ底部３２は、トレイ本体部３１の底部をなしている。トレイ側部３３は、トレイ本体部３１の側部をなしている。トレイ側部３３は、トレイ底部３２の周縁から立ち上がり、トレイ本体部３１における水の貯留空間を取り囲むように設けられている。
【００５３】
トレイ側部３３Ａおよびトレイ側部３３Ｂは、加湿トレイ３０の挿入方向において、互いに対向して配置されている。トレイ側部３３Ａ（第１トレイ側部）は、加湿トレイ３０の挿入方向における手前側に配置されている。加湿トレイ３０が装置本体１２に装着された状態において、トレイ側部３３Ａは、筐体２の左側面２Ｄの一部をなす（図２を参照）。トレイ側部３３Ｂ（第２トレイ側部）は、加湿トレイ３０の挿入方向における奥側に配置されている。
【００５４】
トレイ側部３３Ｃおよびトレイ側部３３Ｄは、加湿トレイ３０の挿入方向に直交する方向において、互いに対向して配置されている。トレイ底部３２の上方であって、トレイ側部３３Ａ、トレイ側部３３Ｂ、トレイ側部３３Ｃおよびトレイ側部３３Ｄに囲まれた位置に、水を貯留する空間が形成されている。
【００５５】
加湿トレイ３０（トレイ本体部３１）は、略矩形形状の上面視を有する。加湿トレイ３０は、トレイ側部３３Ａおよびトレイ側部３３Ｂが対向する方向が長手方向となり、トレイ側部３３Ｃおよびトレイ側部３３Ｄが対向する方向が短手方向となる略矩形形状の上面視を有する。
【００５６】
図１２中に示すように、加湿トレイ３０（トレイ本体部３１）の内壁には、加湿トレイ３０における水位の最上レベル２１６が示されている。ユーザは、最上レベル２１６を目安にして加湿トレイ３０に水を補給する。
【００５７】
加湿空気清浄機１は、加湿フィルタ４１を有する。加湿フィルタ４１は、加湿トレイ３０のうちのトレイ本体部３１に設けられている。
【００５８】
加湿フィルタ４１は、平板形状を有する。加湿フィルタ４１は、筐体２の前面２Ａと背面２Ｂとが対向する方向に直交する平面上で広がる平板形状を有する。加湿フィルタ４１は、トレイ側部３３Ｃとトレイ側部３３Ｄとが対向する方向に直交する平面上で広がる平板形状を有する。加湿フィルタ４１は、高さ方向においてトレイ底部３２と当接して設けられている。
【００５９】
加湿フィルタ４１は、吸水性および通気性を有する。加湿フィルタ４１は、その下部が加湿トレイ３０に貯留された水に浸漬されるように設けられている。加湿フィルタ４１は、その上部が水面から上方に突き出し、空気中に配置されるように設けられている。加湿フィルタ４１は、加湿トレイ３０内の水に浸漬された浸水部を下部に有し、水に浸漬されない非浸水部を上部に有する。
【００６０】
加湿フィルタ４１は、毛細管現象により加湿トレイ３０内の水を吸い上げて、全体が水分を含んだ状態になる。加湿フィルタ４１の上部の非浸水部は、水に浸漬されないが、下部の浸水部から水を吸い上げることにより、加湿トレイ３０内の貯水量に関わらず非浸水部を含む加湿フィルタ４１の全体に水分が行き渡る。
【００６１】
加湿フィルタ４１は、筐体２の内部において、送風機５０（ファン５２）により送風される空気を加湿する。加湿フィルタ４１は、筐体２の内部において、下降風路１５０から上流風路１６０に向けて流れる空気（図９および図１０中の矢印２０１に示す方向に流れる空気）を加湿する。
【００６２】
加湿トレイ３０は、第１貯留空間２２０と、第２貯留空間２３０とを形成している。第１貯留空間２２０および第２貯留空間２３０は、トレイ本体部３１が形成する水を貯留する空間である。第１貯留空間２２０と、第２貯留空間２３０とは、加湿フィルタ４１により区画されている。第１貯留空間２２０と、第２貯留空間２３０とは、下降風路１５０から上流風路１６０に向かう空気の流れ方向（図９および図１０中の矢印２０１に示す方向）に並んで設けられている。
【００６３】
送風機５０（ファン５２）は、第１貯留空間２２０の側から第２貯留空間２３０の側に向けて空気を送風する。第１貯留空間２２０は、第２貯留空間２３０よりも、加湿トレイ３０上に形成される空気流れの上流側に位置する。下降風路１５０は、第１貯留空間２２０に繋がり、上流風路１６０は、第２貯留空間２３０に繋がる。第１貯留空間２２０の直上に下降風路１５０が位置し、第２貯留空間２３０の直上に上流風路１６０が位置している。
【００６４】
加湿フィルタ４１は、その厚み方向（図１０中の矢印２０３に示す方向）が、第１貯留空間２２０および第２貯留空間２３０の並び方向と平行となるように設けられている。加湿フィルタ４１の厚み方向に直交する方向が、加湿フィルタ４１の幅方向である。加湿フィルタ４１の幅方向は、加湿トレイ３０の挿入方向に平行である。
【００６５】
装置本体１２は、壁部５８を有する（図９を参照）。壁部５８は、加湿フィルタ４１の上方に位置している。壁部５８は、加湿フィルタ４１と隙間を設けて対向している。壁部５８は、ファンケーシング５４により構成されている。下降風路１５０は、壁部５８および加湿フィルタ４１の間の隙間を通じて、上流風路１６０に連通している。
【００６６】
抗菌ユニット７１は、第１貯留空間２２０に設けられている。抗菌ユニット７１は、加湿トレイ３０（トレイ本体部３１）に対して着脱可能に設けられている。水位検知部８１は、第２貯留空間２３０に設けられている。
【００６７】
図１３は、図１２中の加湿トレイから抗菌ユニットおよび水位検知部が取り外された状態を示す斜視図である。図１４は、ハンドル部が第１状態（給水ポジション）にされた加湿トレイを示す斜視図である。図１５は、ハンドル部が第２状態（装着ポジション）にされた加湿トレイを示す斜視図である。図１６は、ハンドル部が第３状態（フィルタ交換ポジション）にされた加湿トレイを示す斜視図である。
【００６８】
図９から図１６を参照して、ハンドル部４２は、図１４中に示す第１状態（給水ポジション）と、図１５中に示す第２状態（装着ポジション）と、図１６中に示す第３状態（フィルタ交換ポジション）との間で動作可能に設けられている。
【００６９】
より具体的に説明すると、ハンドル部４２は、その構成部位として、把持部４３と、一対の腕部４４（４４Ａ，４４Ｂ）と、突起部４７と、当接部４５とを有する。
【００７０】
把持部４３は、棒状に延びている。把持部４３は、水平方向に延びている。把持部４３は、加湿トレイ３０の挿入方向（加湿フィルタ４１の幅方向）に沿って延びている。把持部４３は、ユーザが加湿トレイ３０を持ち運ぶ際にユーザにより把持される部位である。
【００７１】
一対の腕部４４は、把持部４３の両端から折れ曲がって腕形状をなしている。腕部４４は、把持部４３と直角に交わっている。腕部４４Ａおよび腕部４４Ｂは、加湿トレイ３０の挿入方向において互いに対向して設けられている。腕部４４Ａは、加湿トレイ３０の挿入方向における手前側に設けられている。腕部４４Ｂは、加湿トレイ３０の挿入方向における奥側に設けられている。
【００７２】
突起部４７は、一対の腕部４４の各々に設けられている。突起部４７は、把持部４３と交わる端部とは反対側の腕部４４の端部の側に設けられている。突起部４７は、腕部４４から、加湿トレイ３０の挿入方向において把持部４３とは反対側に突出するように設けられている。
【００７３】
当接部４５は、一対の腕部４４の各々に設けられている。当接部４５は、把持部４３と交わる腕部４４の端部と、突起部４７が設けられた側の腕部４４の端部との間に設けられている。ハンドル部４２が、図１４中の第１状態および図１５中の第２状態にある場合に、当接部４５は、腕部４４から、後述するフィルタ保持部３７およびフィルタ保持部３８のうちのフィルタ保持部３７の側に突出するように設けられている。当接部４５は、上下方向において、フィルタ保持部３７と重なって設けられている。
【００７４】
トレイ本体部３１は、一対のリブ状体３４（３４Ａ，３４Ｂ）を有する。一対のリブ状体３４は、トレイ本体部３１の内側に設けられている。リブ状体３４Ａおよびリブ状体３４Ｂは、加湿トレイ３０の挿入方向（加湿フィルタ４１の幅方向）において互いに対向して設けられている。リブ状体３４Ａは、トレイ側部３３Ａと隣り合う位置において、トレイ底部３２から立ち上がり、上方に向けてリブ状に延びている。リブ状体３４Ｂは、トレイ側部３３Ｂと隣り合う位置において、トレイ底部３２から立ち上がり、上方に向けてリブ状に延びている。リブ状体３４Ａおよびリブ状体３４Ｂは、トレイ側部３３Ａおよびトレイ側部３３Ｂの間の中心に対して対称に設けられている。
【００７５】
リブ状体３４は、その構成部位として、ハンドル取り付け部３５と、フィルタ保持部３７およびフィルタ保持部３８と、対向部３９とを有する。
【００７６】
ハンドル取り付け部３５には、ハンドル部４２が取り付けられている。ハンドル取り付け部３５には、腕部４４が取り付けられている。ハンドル取り付け部３５は、上下方向に延びる平板形状を有し、加湿フィルタ４１の厚み方向と平行となるように配置されている。
【００７７】
ハンドル取り付け部３５には、上下方向が長手方向となる長孔３６が設けられている。リブ状体３４Ａのハンドル取り付け部３５には、腕部４４Ａに設けられた突起部４７が挿入されている。リブ状体３４Ｂのハンドル取り付け部３５には、腕部４４Ｂに設けられた突起部４７が挿入されている。これにより、ハンドル部４２は、ハンドル取り付け部３５に対して、上下にスライド可能に、かつ、突起部４７を中心にして揺動可能なように設けられている。
【００７８】
フィルタ保持部３７およびフィルタ保持部３８は、トレイ本体部３１の内側において加湿フィルタ４１を保持している。フィルタ保持部３７およびフィルタ保持部３８は、トレイ底部３２上に設けられている。フィルタ保持部３７およびフィルタ保持部３８は、トレイ底部３２から上方に延びる平板形状を有し、加湿トレイ３０の挿入方向（加湿フィルタ４１の幅方向）と平行に配置されている。フィルタ保持部３７およびフィルタ保持部３８は、加湿フィルタ４１の厚み方向において互いに対向して設けられている。
【００７９】
加湿フィルタ４１は、加湿トレイ３０に装着されている。加湿フィルタ４１は、上方から加湿トレイ３０に装着されている。この際、加湿フィルタ４１の、加湿トレイ３０の挿入方向における手前側の端部が、リブ状体３４Ａのフィルタ保持部３７およびフィルタ保持部３８の間に挿入されている。加湿フィルタ４１の、加湿トレイ３０の挿入方向における奥側の端部が、リブ状体３４Ｂのフィルタ保持部３７およびフィルタ保持部３８の間に挿入されている。これにより、加湿フィルタ４１は、その厚み方向における両側からフィルタ保持部３７およびフィルタ保持部３８により保持されている。
【００８０】
フィルタ保持部３７（第１フィルタ保持部）は、加湿フィルタ４１に対して、加湿フィルタ４１を通過する空気流れの上流側に配置されている。フィルタ保持部３７は、第１貯留空間２２０の側において、加湿フィルタ４１と面接触している。フィルタ保持部３８（第２フィルタ保持部）は、加湿フィルタ４１に対して、加湿フィルタ４１を通過する空気流れの下流側に配置されている。フィルタ保持部３８は、第２貯留空間２３０の側において、加湿フィルタ４１と面接触している。
【００８１】
対向部３９は、上下方向に延びる平板形状を有し、加湿トレイ３０の挿入方向（加湿フィルタ４１の幅方向）と平行に配置されている。ハンドル部４２が、図１４中の第１状態および図１５中の第２状態にある場合に、対向部３９は、ハンドル部４２（腕部４４）を挟んだ第１貯留空間２２０および第２貯留空間２３０のうちの第２貯留空間２３０の側に設けられている。対向部３９は、ハンドル取り付け部３５およびフィルタ保持部３８の中間に設けられている。
【００８２】
図１４中に示すハンドル部４２の第１状態において、突起部４７は、長孔３６の上端側に配置されている。ハンドル部４２は、一対の腕部４４が、ハンドル取り付け部３５から上方に立ち上がり、把持部４３が、加湿フィルタ４１の上方に位置する姿勢とされている。このとき、ハンドル部４２（把持部４３）と加湿フィルタ４１との間には、隙間が設けられている。ハンドル部４２（把持部４３）と加湿フィルタ４１との間の隙間は、ユーザが手の平を挿入するのに十分な大きさ（高さ）を有する。
【００８３】
操作部５における給水ランプが点灯すると、ユーザは、加湿トレイ３０を装置本体１２から取り外し、加湿トレイ３０に給水する必要が生じる。この際、ユーザは、ハンドル部４２を後述する第２状態から第１状態に動作させ、ハンドル部４２を把持することによって、加湿トレイ３０を持ち運ぶことができる。
【００８４】
ハンドル部４２は、上記の第１状態と、図１５中に示す第２状態との間で動作可能に設けられている。ハンドル部４２は、第１状態および第２状態の間で上下にスライド可能に設けられている。
【００８５】
図１５中に示すハンドル部４２の第２状態において、突起部４７は、長孔３６の下端側に配置されている。ハンドル部４２（把持部４３）は、上記の第１状態よりも、加湿フィルタ４１に近接している。第２状態におけるハンドル部４２（把持部４３）と加湿フィルタ４１との間の隙間は、第１状態におけるハンドル部４２（把持部４３）と加湿フィルタ４１との間の隙間よりも小さい。腕部４４は、加湿フィルタ４１およびハンドル取り付け部３５の間の隙間に収容されている。
【００８６】
ハンドル部４２が第２状態にある時、当接部４５が、ハンドル部４２の自重によりトレイ本体部３１（より具体的には、フィルタ保持部３７）に当接する。これにより、第２状態におけるハンドル部４２を、適正な位置に保持することができる。
【００８７】
図９中に示すように、加湿トレイ３０は、ハンドル部４２が第２状態とされて、装置本体１２に装着される。加湿トレイ３０が装置本体１２に装着された状態において、ハンドル部４２は、加湿フィルタ４１および壁部５８の間の隙間に配置されている。
【００８８】
加湿フィルタ４１が上方に浮いた状態で加湿トレイ３０に装着されると、装置本体１２に対する加湿トレイ３０の着脱時に、加湿フィルタ４１が装置本体１２と干渉するおそれがある。本実施の形態では、ハンドル部４２が加湿フィルタ４１および壁部５８の間の隙間に配置される構成により、加湿フィルタ４１の浮きをハンドル部４２によって防ぐことができる。これにより、装置本体１２に対する加湿トレイ３０の着脱時の作業性を良好にできる。加えて、ハンドル部４２により加湿フィルタ４１および壁部５８の間の隙間が減少するため、加湿フィルタ４１を通過する空気量を増大させることができる。これにより、加湿フィルタ４１による空気の加湿効率を向上させることができる。
【００８９】
ハンドル部４２は、上記の第１状態と、図１６中に示す第３状態との間で動作可能に設けられている。ハンドル部４２は、第１状態および第３状態の間で揺動可能に設けられている。
【００９０】
ハンドル部４２が第１状態にある時、対向部３９が、水平方向においてハンドル部４２（腕部４４）と対向する。これにより、ハンドル部４２が加湿フィルタ４１を挟んで対向部３９とは反対側（第１貯留空間２２０の側）にのみ揺動可能となるため、ユーザが加湿トレイ３０を安定して持ち運ぶことが可能となる。ハンドル部４２は、第１状態から第３状態への移行時に、加湿フィルタ４１を挟んで対向部３９とは反対側（第１貯留空間２２０の側）に倒れるように揺動する。
【００９１】
ハンドル部４２の第３状態において、ハンドル部４２（把持部４３）は、加湿フィルタ４１の上方から退避する。ハンドル部４２は、把持部４３が、上方からトレイ側部３３Ｃに重なって配置され、一対の腕部４４が、ハンドル取り付け部３５から水平方向（加湿フィルタ４１の厚み方向）に延びる姿勢とされている。ユーザは、ハンドル部４２を第３状態に動作させることによって、加湿フィルタ４１の交換を行なうことができる。
【００９２】
なお、対向部３９は、ハンドル部４２（腕部４４）を挟んだ第１貯留空間２２０および第２貯留空間２３０のうちの第１貯留空間２２０の側に設けられてもよい。この場合、ハンドル部４２は、第２貯留空間２３０の側にのみ揺動可能となる。
【００９３】
図１７は、図１０中のＸＶＩＩ−ＸＶＩＩ線上の矢視方向から見た加湿トレイを示す断面図である。
【００９４】
図１２、図１３および図１７を参照して、トレイ本体部３１は、取っ手部６１（６１Ａ，６１Ｂ）を有する。
【００９５】
取っ手部６１は、トレイ本体部３１の外側から見て凹形状を有し、トレイ本体部３１の内側から見て凸形状を有する。トレイ本体部３１の外側から見た場合の取っ手部６１の凹形状と、トレイ本体部３１の内側から見た場合の取っ手部６１の凸形状とは、互いに対応している。取っ手部６１は、その上面視において、加湿フィルタ４１の厚み方向が長手方向となり、加湿トレイ３０の挿入方向（加湿フィルタ４１の幅方向）が短手方向となる細長い形状を有する。
【００９６】
取っ手部６１Ａ（第１取っ手部）は、トレイ底部３２とトレイ側部３３Ａとの隅部に設けられている。取っ手部６１Ｂ（第２取っ手部）は、トレイ底部３２とトレイ側部３３Ｂとの隅部に設けられている。取っ手部６１Ａおよび取っ手部６１Ｂは、加湿トレイ３０の挿入方向（加湿フィルタ４１の幅方向）において互いに対向して設けられている。取っ手部６１Ａおよび取っ手部６１Ｂは、加湿フィルタ４１の厚み方向において、一対のリブ状体３４と重なる位置に設けられている。
【００９７】
本実施の形態では、加湿トレイ３０を装置本体１２に対して着脱する際に用いられる取っ手部６１Ａに加えて、取っ手部６１Ｂが設けられている。これにより、加湿トレイ３０の給水時に、ユーザは、ハンドル部４２を用いて加湿トレイ３０を持ち運ぶこともできるし、取っ手部６１Ａおよび取っ手部６１Ｂを用いて加湿トレイ３０を持ち運ぶこともできる。
【００９８】
加湿フィルタ４１は、トレイ本体部３１の内側において、取っ手部６１Ａおよび取っ手部６１Ｂの間に挟持されている。加湿フィルタ４１の下端部は、加湿トレイ３０の挿入方向（加湿フィルタ４１の幅方向）における両端において、取っ手部６１Ａおよび取っ手部６１Ｂの間に配置されている。
【００９９】
このような構成によれば、加湿フィルタ４１を、その幅方向において適正な位置に保持することができる。この際、取っ手部６１が、加湿フィルタ４１の保持機構を兼ねているため、トレイ本体部３１の内側の構造を簡易することができる。これにより、トレイ本体部３１の内側をメンテナンスし易くなる。
【０１００】
図１８は、図１０中のＸＶＩＩＩ−ＸＶＩＩＩ線上の矢視方向から見た加湿トレイを示す断面図である。
【０１０１】
図１２、図１３および図１８を参照して、加湿フィルタ４１をその厚み方向から見た場合に、加湿フィルタ４１がフィルタ保持部３７と重なり合う幅Ｂ１は、トレイ底部３２から離れるほど小さくなる。加湿フィルタ４１をその厚み方向から見た場合に、加湿フィルタ４１がフィルタ保持部３８と重なり合う幅Ｂ２は、トレイ底部３２から離れるほど小さくなる。幅Ｂ１および幅Ｂ２は、加湿フィルタ４１の幅方向における長さである。幅Ｂ１および幅Ｂ２は、トレイ底部３２に接する位置で最も大きく、高さ方向においてトレイ底部３２から離れるほど小さくなる。
【０１０２】
加湿フィルタ４１による空気の加湿効率は、空気が通過可能な加湿フィルタ４１の面積が大きいほど高くなる。この場合、加湿トレイ３０における水位が高い時（加湿トレイ３０に給水して間もない時）には、加湿フィルタ４１の大部分が水に浸っているため、加湿フィルタ４１による空気の加湿効率を低くなる。一方、加湿フィルタ４１を保持するためのフィルタ保持部３７およびフィルタ保持部３８は、加湿フィルタ４１の表面を部分的に覆うように設けられるため、空気が通過可能な加湿フィルタ４１の面積を減少させている。
【０１０３】
本実施の形態では、加湿フィルタ４１がフィルタ保持部３７と重なり合う幅Ｂ１を、トレイ底部３２から離れるほど小さくし、加湿フィルタ４１がフィルタ保持部３８と重なり合う幅Ｂ２を、トレイ底部３２から離れるほど小さくすることにより、加湿トレイ３０における水位が高い時に、加湿フィルタ４１を、フィルタ保持部３７およびフィルタ保持部３８からより大きく露出させることができる。これにより、加湿トレイ３０における水位が高い時の空気の加湿効率を高めることができる。また、トレイ底部３２に近い位置では、加湿フィルタ４１がフィルタ保持部３７，３８と重なり合う幅が比較的大きいため、加湿フィルタ４１を保持する強度が低下することを抑制できる。
【０１０４】
加湿フィルタ４１をその厚み方向から見た場合に、加湿フィルタ４１がフィルタ保持部３８と重なり合う面積Ｓ２は、加湿フィルタ４１がフィルタ保持部３７と重なり合う面積Ｓ１よりも大きい。加湿フィルタ４１をその厚み方向から見た場合に、加湿フィルタ４１がフィルタ保持部３７と重なり合う領域は、加湿フィルタ４１がフィルタ保持部３８と重なり合う領域に含まれる。
【０１０５】
第１貯留空間２２０から第２貯留空間２３０に向かう空気が加湿フィルタ４１を通過すると、加湿フィルタ４１は、第１貯留空間２２０の側で凹となり、第２貯留空間２３０の側で凸となるように弓形に変形しようとする。加湿フィルタ４１が大きく変形した場合、加湿フィルタ４１の周りに隙間が生じ、空気がその隙間を通り過ぎることによって、空気の加湿効率が低下してしまう。
【０１０６】
本実施の形態では、加湿フィルタ４１がフィルタ保持部３８と重なり合う面積Ｓ２を、加湿フィルタ４１がフィルタ保持部３７と重なり合う面積Ｓ１より大きくすることによって、第２貯留空間２３０の側から加湿フィルタ４１をより強固に保持することができる。これにより、加湿フィルタ４１の変形を抑制して、空気の加湿効率の低下を防ぐことができる。
【０１０７】
（実施の形態２）
図１９は、加湿トレイが取り外された状態の加湿空気清浄機（装置本体）を示す斜視図である。図２０は、図１９中の２点鎖線ＸＸで囲まれた範囲を拡大して示す斜視図である。図２１は、加湿トレイを示す底面図である。図２２は、図１９中の装置本体に加湿トレイが装着された状態を示す縦断面図である。
【０１０８】
図１９から図２２を参照して、本実施の形態では、加湿トレイ３０を装置本体１２に装着された状態に保持するためのトレイ保持機構と、加湿トレイ３０が装置本体１２から脱落することを防ぐためのトレイ脱落防止機構とについて説明する。
【０１０９】
装置本体１２は、本体底部９１と、複数の第１突出部９２と、第３突出部９６とを有する。本体底部９１は、装置本体１２の底部をなしている。装置本体１２に加湿トレイ３０が装着された状態において、トレイ底部３２は、上下方向において本体底部９１と対向している。本体底部９１は、トレイ挿入口１３から連なり、加湿トレイ３０の挿入方向における手前側から奥側に向けて平板状に延びている。
【０１１０】
第１突出部９２は、本体底部９１から上方に突出して設けられている。装置本体１２に加湿トレイ３０が装着された状態において、第１突出部９２は、トレイ底部３２に向けて突出して設けられている。第１突出部９２は、加湿トレイ３０の挿入方向において、トレイ挿入口１３と隣り合って設けられている。複数の第１突出部９２は、加湿空気清浄機１の前後方向（加湿トレイ３０の挿入方向に直交する方向）に距離を隔てて設けられている。
【０１１１】
第１突出部９２は、本体底部９１から突出した状態（図２０中に示す状態）と、後述する第２突出部８６により押圧されることによって、本体底部９１からの突出量が減少する状態との間で弾性的に動作可能に設けられている。
【０１１２】
より具体的には、本体底部９１には、開口部９５が設けられている。開口部９５は、上方を向いて開口している。開口部９５は、加湿トレイ３０の挿入方向が長手方向となり、加湿トレイ３０の挿入方向に直交する方向が短手方向となる矩形形状の開口面を有する。
【０１１３】
第１突出部９２は、その構成部位として、基部９３と、張り出し部９４とを有する。基部９３は、開口部９５の開口面を規定する一方の短辺から延出し、開口部９５の開口面を規定する他方の短辺に向けて延びている。張り出し部９４は、基部９３の先端に設けられている。張り出し部９４は、上方に向けて張り出す凸形状を有する。第１突出部９２は、上方からの力を受けることにより、基部９３の根本側を支点に下方に向けて揺動する。このとき、張り出し部９４が開口部９５の内側に進入することにより、本体底部９１からの第１突出部９２の突出量が減少する。
【０１１４】
第３突出部９６は、本体底部９１から上方に突出して設けられている。装置本体１２に加湿トレイ３０が装着された状態において、第３突出部９６は、トレイ底部３２に向けて突出して設けられている。第３突出部９６は、第１突出部９２よりも、加湿トレイ３０の挿入方向における奥側に設けられている。第３突出部９６は、加湿空気清浄機１の前後方向（加湿トレイ３０の挿入方向に直交する方向）において、複数の第１突出部９２の間に設けられている。
【０１１５】
第３突出部９６は、本体底部９１に一体に成形されている。第３突出部９６が上方から力を受けた場合にも、本体底部９１からの第３突出部９６の突出量は、変化しない。
【０１１６】
トレイ本体部３１は、複数の第２突出部８６と、第４突出部８７とを有する。第２突出部８６は、トレイ底部３２から下方に突出して設けられている。装置本体１２に加湿トレイ３０が装着された状態において、第２突出部８６は、本体底部９１に向けて突出して設けられている。第２突出部８６は、加湿トレイ３０の挿入方向において、第１突出部９２と並んで設けられている。第２突出部８６は、高さ方向において、第１突出部９２と部分的に重なり合うように設けられている。すなわち、第２突出部８６の下端の高さは、第１突出部９２の上端の高さよりも低い。
【０１１７】
第４突出部８７は、トレイ底部３２から下方に突出して設けられている。装置本体１２に加湿トレイ３０が装着された状態において、第４突出部８７は、本体底部９１に向けて突出して設けられている。第４突出部８７は、加湿トレイ３０の挿入方向において、第３突出部９６と並んで設けられている。第４突出部８７は、高さ方向において、第３突出部９６と部分的に重なり合うように設けられている。すなわち、第４突出部８７の下端の高さは、第３突出部９６の上端の高さよりも低い。
【０１１８】
装置本体１２に対する加湿トレイ３０の装着時、まず、第４突出部８７が、加湿トレイ３０の挿入方向における手前側から第３突出部９６を乗り越えて、加湿トレイ３０の挿入方向における奥側に移動する。
【０１１９】
次に、第２突出部８６が、加湿トレイ３０の挿入方向における手前側から第１突出部９２を乗り越えて、加湿トレイ３０の挿入方向における奥側に移動する。この際、第１突出部９２は、第２突出部８６により上方から押圧されることによって、下方に沈み込むように動作する。第２突出部８６が第１突出部９２を乗り越えると、第１突出部９２は、本体底部９１から突出する元の状態に戻る。
【０１２０】
装置本体１２が加湿トレイ３０に装着された状態において、第２突出部８６は、加湿トレイ３０の挿入方向における奥側から第１突出部９２に当接している。これにより、加湿トレイ３０が装置本体１２に装着された状態に保持されている。第４突出部８７は、第３突出部９６よりも、加湿トレイ３０の挿入方向における奥側に配置されている。第４突出部８７は、第３突出部９６から、加湿トレイ３０の挿入方向における奥側に距離を隔てて配置されている。
【０１２１】
ユーザが、加湿トレイ３０が装着された状態のまま加湿空気清浄機１を持ち運ぶ場合がある。このような場合に、加湿空気清浄機１が傾くと、加湿トレイ３０が装置本体１２から脱落するおそれがある。
【０１２２】
本実施の形態では、第１突出部９２および第２突出部８６が、加湿トレイ３０を装置本体１２に装着された状態に保持するためのトレイ保持機構として設けられ、第３突出部９６および第４突出部８７が、加湿トレイ３０が装置本体１２から脱落することを防ぐためのトレイ脱落防止機構として設けられている。加湿空気清浄機１が傾いて、第２突出部８６が第１突出部９２を乗り越えるまで加湿トレイ３０がスライドすることがあっても、第４突出部８７が、加湿トレイ３０の挿入方向における奥側から第３突出部９６に当接することにより、加湿トレイ３０の脱落を防ぐことができる。
【０１２３】
図２３は、加湿トレイの取り外し時における加湿トレイおよび装置本体を部分的に示す断面図である。
【０１２４】
図２３を参照して、第３突出部９６は、その構成部位として、急峻部９７と、緩斜部９８とを有する。急峻部９７は、加湿トレイ３０の挿入方向における奥側において斜面をなし、緩斜部９８は、加湿トレイ３０の挿入方向における手前側において斜面をなしている。急峻部９７は、緩斜部９８よりも急な斜面をなしている。
【０１２５】
取っ手部６１Ａは、第４突出部８７よりも高い位置に設けられている。取っ手部６１Ａは、トレイ底部３２よりも高い位置に設けられ、第４突出部８７は、トレイ底部３２よりも低い位置に設けられている。
【０１２６】
装置本体１２からの加湿トレイ３０の取り外し時、第１突出部９２は、下方に沈み込むように動作するため、ユーザの操作力に影響をほとんど与えない。一方、脱落防止機構をなす第３突出部９６は、第１突出部９２のように動作しないため、ユーザの操作力を増大させる原因となり得る。
【０１２７】
本実施の形態では、取っ手部６１Ａが、第４突出部８７よりも高い位置に設けられている。この場合、ユーザから取っ手部６１Ａに対して斜め上方向（図２３中の矢印３１１に示す方向）の引き出し力が入力されることにより、第４突出部８７が容易に第３突出部９６を乗り越えることができる。これにより、落下防止機構の設置に起因して加湿トレイ３０の取り出し時におけるユーザの操作力が増大することを抑制できる。
【０１２８】
（実施の形態３）
図２４は、装置本体に対して加湿トレイが挿入不足である状態を示す断面図である。図２４を参照して、本実施の形態では、ユーザに加湿トレイ３０の挿入不足を知らせるための機構について説明する。
【０１２９】
第２突出部８６が、加湿トレイ３０の挿入方向における手前側から第１突出部９２に当接する状態において、加湿トレイ３０の挿入不足が生じている。このとき、トレイ挿入口１３には、送風機５０（ファン５２）の運転時に音を発生させる隙間が生じている。言い換えれば、加湿トレイ３０が挿入不足である時にトレイ挿入口１３に生じる隙間の大きさ、および／または、形状が、隙間を空気が通過して音が発生するように設定されている。
【０１３０】
装置本体１２に対して加湿トレイ３０が挿入不足である時、トレイ挿入口１３から空気が漏れることによって、空気の加湿効率が低下する。本実施の形態では、トレイ挿入口１３に生じる隙間で音が発生することにより、加湿トレイ３０の挿入不足をユーザに知らせることができる。
【０１３１】
（実施の形態４）
図２５は、装置本体に対する加湿トレイの装着時の状態を示す側面図である。図２５を参照して、本実施の形態では、加湿トレイの着脱時にユーザの操作をアシストするための機構について説明する。
【０１３２】
装置本体１２および加湿トレイ３０が、基準面５０１に載置されている。本体底部９１は、底面９９を有する。底面９９は、上方に向いて配置されている。装置本体１２が加湿トレイ３０に装着された状態において、底面９９は、上下方向において加湿トレイ３０と対向している。底面９９は、水平面からなる。
【０１３３】
トレイ本体部３１は、傾斜部８８を有する。傾斜部８８は、加湿トレイ３０の挿入方向における奥側に設けられている。傾斜部８８は、加湿トレイ３０の挿入方向における手前側から奥側に向けて斜め上方向に延びている。傾斜部８８は、トレイ側部３３Ｃおよびトレイ側部３３Ｄに設けられている。傾斜部８８は、一定の傾きを有する。傾斜部８８は、基準面５０１に対して角度αをなしている。
【０１３４】
加湿トレイ３０の挿入方向における奥側の端部における傾斜部８８の高さＨ１は、底面９９の高さＨ２よりも高い。
【０１３５】
このような構成により、装置本体１２および加湿トレイ３０を基準面５０１に載置した状態から、傾斜部８８を本体底部９１に当接させつつ、加湿トレイ３０を装置本体１２に向けて押し出すことによって、加湿トレイ３０を底面９９上に移動させることができる。また、装置本体１２から加湿トレイ３０を取り外す際においても、傾斜部８８を本体底部９１に当接させつつ、加湿トレイ３０を装置本体１２から引き出すことによって、加湿トレイ３０を底面９９上から基準面５０１上に移動させることができる。これにより、ユーザは、加湿トレイ３０を持ち上げることなく、装置本体１２に対して加湿トレイ３０を着脱することができる。
【０１３６】
取っ手部６１Ａは、その構成部位として、下端部６２を有する。ユーザが取っ手部６１Ａを把持する際に、ユーザの手が下方から下端部６２に接触する。下端部６２の高さＨ３は、底面９９の高さＨ２よりも低い。
【０１３７】
このような構成によれば、装置本体１２に対する加湿トレイ３０の装着時、ユーザから取っ手部６１を通じて加湿トレイ３０に加わる押し込み力が、傾斜部８８および底面９９の接点において斜め上方向の力となって装置本体１２に加わる。このため、より小さい操作力で、加湿トレイ３０を基準面５０１上から底面９９上に移動させることができる。
【０１３８】
傾斜部８８の傾きαは、１０°よりも大きく、４５°よりも小さいことが好ましい（１０°＜α＜４５°）。この場合、傾斜部８８に起因して加湿トレイ３０の容量が小さくなることを抑制しつつ、装置本体１２に対する加湿トレイ３０の装着時のユーザの操作力を効果的に小さくすることができる。
【０１３９】
以下に、本開示の構成および作用効果についてまとめる。
本開示に従った加湿装置は、装置本体と、水を貯留可能なトレイ本体部と、トレイ本体部に取り付けられるハンドル部とを有し、装置本体に対して着脱可能に設けられる加湿トレイと、加湿トレイに装着され、空気を加湿する加湿フィルタとを備える。装置本体は、加湿フィルタの上方に位置し、加湿フィルタと隙間を設けて対向する壁部を有する。ハンドル部は、加湿フィルタおよび壁部の間の隙間に配置される。
【０１４０】
このように構成された加湿装置によれば、ハンドル部によって、加湿フィルタが上方に浮いた状態で加湿トレイに装着されることを防止できる。また、ハンドル部により、加湿フィルタおよび壁部の間の隙間が減少するため、加湿フィルタを通過する空気を増大させることができる。これにより、加湿フィルタによる空気の加湿効率を向上させることができる。
【０１４１】
また好ましくは、ハンドル部は、加湿フィルタおよびハンドル部の間に隙間が生じる第１状態と、第１状態よりもハンドル部が加湿フィルタに近接する第２状態との間で動作可能に設けられる。加湿トレイは、ハンドル部が第２状態とされて、装置本体に装着される。
【０１４２】
このように構成された加湿装置によれば、第１状態におけるハンドル部の位置を、ユーザがハンドル部を把持して加湿トレイを持ち運ぶ際の給水ポジションとし、第２状態におけるハンドル部の位置を、加湿トレイを装置本体に装着する際の装着ポジションとすることができる。
【０１４３】
また好ましくは、ハンドル部は、第１状態および第２状態の間で上下にスライド可能に設けられる。ハンドル部は、第２状態において、ハンドル部の自重によりトレイ本体部と当接する当接部を有する。
【０１４４】
このように構成された加湿装置によれば、ハンドル部の第２状態において、ハンドル部を適正な位置に保持することができる。
【０１４５】
また好ましくは、ハンドル部は、第１状態と、加湿フィルタの上方から退避する第３状態との間で動作可能に設けられる。
【０１４６】
このように構成された加湿装置によれば、第３状態におけるハンドル部の位置を、加湿トレイより加湿フィルタを交換する際のフィルタ交換ポジションとすることができる。
【０１４７】
また好ましくは、トレイ本体部は、加湿フィルタを挟んで一方の側に配置され、水平方向において第１状態におけるハンドル部と対向する対向部を有する。ハンドル部は、第１状態および第３状態の間で揺動可能に設けられ、第１状態から第３状態への移行時、加湿フィルタを挟んで他方の側に倒れるように揺動する。
【０１４８】
このように構成された加湿装置によれば、ハンドル部を、加湿フィルタを挟んだ片側にのみ揺動可能とすることより、ハンドル部の第１状態において、ユーザが加湿トレイを安定して持ち運ぶことができる。
【０１４９】
また好ましくは、加湿トレイは、装置本体に対する加湿トレイの装着時に、水平方向における一方向に挿入される。トレイ本体部は、トレイ底部と、加湿トレイの挿入方向における手前側に配置され、トレイ底部から立ち上がる第１トレイ側部と、加湿トレイの挿入方向における奥側に配置され、トレイ底部から立ち上がる第２トレイ側部と、トレイ底部と第１トレイ側部との隅部に設けられ、トレイ本体部の外側から見て凹形状を有する第１取っ手部と、トレイ底部と第２トレイ側部との隅部に設けられ、トレイ本体部の外側から見て凹形状を有する第２取っ手部とを有する。
【０１５０】
このように構成された加湿装置によれば、第１取っ手部を、装置本体に対する加湿トレイの着脱時にユーザが把持する取っ手として用い、第１取っ手部および第２取っ手部を、加湿トレイを持ち運ぶ際に、ユーザがハンドル部に替わって把持する取っ手として用いることができる。
【０１５１】
また好ましくは、第１取っ手部および第２取っ手部は、トレイ本体部の内側から見て凸形状を有する。加湿フィルタは、トレイ本体部の内側において、第１取っ手部および第２取っ手部の間に挟持される。
【０１５２】
このように構成された加湿装置によれば、簡易な構成により、加湿フィルタを適正な位置に保持することができる。
【０１５３】
また好ましくは、加湿フィルタは、平板形状を有する。トレイ本体部は、トレイ底部と、トレイ底部上に設けられ、加湿フィルタをその厚み方向における両側から保持するフィルタ保持部とを有する。加湿フィルタをその厚み方向から見た場合に、加湿フィルタがフィルタ保持部と重なり合う幅は、トレイ底部から離れるほど小さくなる。
【０１５４】
このように構成された加湿装置によれば、加湿トレイにおける水位が高く、水面上に配置される加湿フィルタの面積が小さい場合においても、空気が通過可能な加湿フィルタの面積を確保することができる。
【０１５５】
また好ましくは、加湿フィルタは、平板形状を有する。トレイ本体部は、加湿フィルタをその厚み方向における両側から保持するフィルタ保持部を有する。フィルタ保持部として、加湿フィルタに対して、加湿フィルタを通過する空気流れの上流側に配置される第１フィルタ保持部と、加湿フィルタに対して、加湿フィルタを通過する空気流れの下流側に配置される第２フィルタ保持部とが設けられる。加湿フィルタをその厚み方向から見た場合に、加湿フィルタが第２フィルタ保持部と重なり合う面積は、加湿フィルタが第１フィルタ保持部と重なり合う面積よりも大きい。
【０１５６】
このように構成された加湿装置によれば、空気流れの下流側に配置される第２フィルタ保持部が、加湿フィルタをより大きい面積で保持することによって、空気流れを受けることによる加湿フィルタの変形を抑制することができる。これにより、加湿フィルタの変形に起因して空気の加湿効率が低下することを抑制できる。
【０１５７】
また好ましくは、加湿装置は、加湿フィルタを通過する空気流れを形成する送風機をさらに備える。装置本体は、水平方向を向いて開口し、装置本体に対する加湿トレイの装着時に、加湿トレイが水平方向における一方向から挿入されるトレイ挿入口と、トレイ挿入口から連なる本体底部と、本体底部から上方に突出する第１突出部とを有する。トレイ本体部は、上下方向において本体底部と対向するトレイ底部と、トレイ底部から下方に突出し、加湿トレイの挿入方向において第１突出部と並んで設けられ、装置本体に対して加湿トレイが装着された状態において、加湿トレイの挿入方向における奥側から第１突出部に当接する第２突出部とを有する。第２突出部が、加湿トレイの挿入方向における手前側から第１突出部に当接する状態において、トレイ挿入口には、送風機の運転時に音を発生させる隙間が生じる。
【０１５８】
このように構成された加湿装置によれば、トレイ挿入口に生じる隙間で音が発生することにより、装置本体に対する加湿トレイの挿入が不十分であることをユーザに知らせることができる。
【０１５９】
また好ましくは、装置本体は、水平方向を向いて開口し、装置本体に対する加湿トレイの装着時に、加湿トレイが水平方向における一方向から挿入されるトレイ挿入口と、トレイ挿入口から連なる本体底部と、本体底部から上方に突出する第１突出部および第３突出部とを有する。トレイ本体部は、上下方向において本体底部と対向するトレイ底部と、トレイ底部から下方に突出し、加湿トレイの挿入方向において第１突出部と並んで設けられ、装置本体に対して加湿トレイが装着された状態において、加湿トレイの挿入方向における奥側から第１突出部に当接する第２突出部と、トレイ底部から下方に突出し、加湿トレイの挿入方向において第３突出部と並んで設けられ、装置本体に対して加湿トレイが装着された状態において、第３突出部よりも加湿トレイの挿入方向における奥側に配置される第４突出部とを有する。第１突出部は、本体底部から突出した状態と、第２突出部により押圧されることによって、本体底部からの突出量が減少する状態との間で弾性的に動作可能に設けられる。
【０１６０】
このように構成された加湿装置によれば、第１突出部および第２突出部により、加湿トレイを装置本体に装着された状態に保持するとともに、第３突出部および第４突出部により、加湿装置が傾けられた時に、加湿トレイが装置本体から脱落することを防ぐことができる。
【０１６１】
また好ましくは、トレイ本体部は、加湿トレイの挿入方向における手前側の端部に設けられ、第４突出部よりも高い位置に配置される取っ手部を有する。
【０１６２】
このように構成された加湿装置によれば、ユーザが取っ手部を把持して加湿トレイを装置本体から引き出す場合に、第４突出部が第３突出部を乗り越える時に要するユーザの操作力を小さくすることができる。
【０１６３】
また好ましくは、装置本体は、水平方向を向いて開口し、装置本体に対する加湿トレイの装着時に、加湿トレイが水平方向における一方向から挿入されるトレイ挿入口と、上下方向において加湿トレイと対向する底面を含み、トレイ挿入口から連なる本体底部とを有する。トレイ本体部は、加湿トレイの挿入方向における奥側に設けられ、加湿トレイの挿入方向における手前側から奥側に向けて斜め上方向に延びる傾斜部を有する。加湿トレイおよび装置本体を同一の基準面に載置した場合に、加湿トレイの挿入方向における奥側の端部における傾斜部の高さは、底面の高さよりも高い。
【０１６４】
このように構成された加湿装置によれば、加湿トレイを装置本体に対して着脱する際に、傾斜部を本体底部に当接させつつ、加湿トレイを装置本体に対してスライドさせることにより、加湿トレイを、基準面上と底面上との間で移動させることができる。これにより、装置本体に対する加湿トレイの着脱時の作業性を向上させることができる。
【０１６５】
また好ましくは、トレイ本体部は、加湿トレイの挿入方向における手前側の端部に設けられる取っ手部を有する。取っ手部は、取っ手部を把持するユーザの手が下方から接触する下端部を有する。加湿トレイおよび装置本体を同一の基準面に載置した場合に、下端部の高さは、底面の高さよりも低い。
【０１６６】
このように構成された加湿装置によれば、ユーザが取っ手部を把持して加湿トレイを装置本体に挿入する場合に、加湿トレイを基準面上から底面上に移動させる時に要するユーザの操作力を小さくすることができる。
【０１６７】
また好ましくは、水平方向に対する傾斜部の傾きは、１０°よりも大きく、４５°よりも小さい。
【０１６８】
このように構成された加湿装置によれば、傾斜部に起因して加湿トレイの容量が小さくなることを抑制しつつ、装置本体に対する加湿トレイの装着時のユーザの操作力を小さくすることができる。
【０１６９】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【産業上の利用可能性】
【０１７０】
本開示は、たとえば、家屋の室内、ビルの一室または病院の病室などの空気を加湿するための加湿装置に適用される。
【符号の説明】
【０１７１】
１  加湿空気清浄機、２  筐体、２Ａ  前面、２Ｂ  背面、２Ｃ  右側面、２Ｄ  左側面、２Ｅ  上面、３  前吹き出し口、４  後吹き出し口、５  操作部、７  前ルーバー、８  後ルーバー、１０  前パネル、１２  装置本体、１３  トレイ挿入口、１８  フィルタ、２０  後パネル、２１  通気口、２２，２４，２５  窪み部、２６  カバー、３０  加湿トレイ、３１  トレイ本体部、３２  トレイ底部、３３，３３Ａ，３３Ｂ，３３Ｃ，３３Ｄ  トレイ側部、３４，３４Ａ，３４Ｂ  リブ状体、３５  ハンドル取り付け部、３６  長孔、３７，３８  フィルタ保持部、３９  対向部、４１  加湿フィルタ、４２  ハンドル部、４３  把持部、４４，４４Ａ，４４Ｂ  腕部、４５  当接部、４７  突起部、５０  送風機、５２  ファン、５３  ファンモータ、５４  ファンケーシング、５６  対向面、５８  壁部、６１，６１Ａ，６１Ｂ  取っ手部、６２  下端部、７１  抗菌ユニット、８１  水位検知部、８６  第２突出部、８７  第４突出部、８８  傾斜部、９１  本体底部、９２  第１突出部、９３  基部、９４  張り出し部、９５  開口部、９６  第３突出部、９７  急峻部、９８  緩斜部、９９  底面、１００  高圧発生ユニット、１５０  下降風路、１６０  上流風路、１７０  下流風路、１８０  分岐部、１８３  前方風路、１８４  後方風路、２１６  最上レベル、２２０  第１貯留空間、２３０  第２貯留空間、５０１  基準面。
【図１】
2019038950.tif 000003
【図２】
2019038950.tif 000004
【図３】
2019038950.tif 000005
【図４】
2019038950.tif 000006
【図５】
2019038950.tif 000007
【図６】
2019038950.tif 000008
【図７】
2019038950.tif 000009
【図８】
2019038950.tif 000010
【図９】
2019038950.tif 000011
【図１０】
2019038950.tif 000012
【図１１】
2019038950.tif 000013
【図１２】
2019038950.tif 000014
【図１３】
2019038950.tif 000015
【図１４】
2019038950.tif 000016
【図１５】
2019038950.tif 000017
【図１６】
2019038950.tif 000018
【図１７】
2019038950.tif 000019
【図１８】
2019038950.tif 000020
【図１９】
2019038950.tif 000021
【図２０】
2019038950.tif 000022
【図２１】
2019038950.tif 000023
【図２２】
2019038950.tif 000024
【図２３】
2019038950.tif 000025
【図２４】
2019038950.tif 000026
【図２５】
2019038950.tif 000027
【国際調査報告】
2019038950.tif 000028
2019038950.tif 000029
2019038950.tif 000030
2019038950.tif 000031